(57)【特許請求の範囲】
【請求項１】
長方形状の広幅紙片と、前記広幅紙片と上下寸法が同じで且つ左右寸法が前記広幅紙片の左右寸法の１／２より所定寸法だけ大きい狭幅紙片を、上下方向の両端縁、及び左右方向の端縁のうちの一方の端縁を揃えて重ね合わせるとともに前記広幅紙片の左右方向の中央の接着部にて両紙片を接着し、接着した前記広幅紙片と前記狭幅紙片を前記狭幅紙片が内側になるように接着部位置にて左右方向に２つ折りして形成された、同寸法からなる３枚の広告用の冊子紙片と該冊子紙片の上下寸法と同じ上下寸法であって該冊子紙片の左右寸法の１／２より小さい左右寸法である１枚の狭幅冊子紙片からなり前記狭幅冊子紙片の前記接着部近傍に前記接着部と平行にミシン目が設けられていることにより前記狭幅冊子紙片が切り取って利用可能な切取用紙片とされた構成からなり、前記３枚の広告用の冊子紙片には宣伝用の印刷が施されており、前記切取用紙片にははがきとして利用できるように必要な印刷が施されていることを特徴とする冊子状チラシ。
【請求項２】
長方形状の広幅紙片と、前記広幅紙片と上下寸法が同じで且つ左右寸法が前記広幅紙片の左右寸法の１／２より所定寸法だけ大きい狭幅紙片を、上下方向の両端縁、及び左右方向の端縁のうちの一方の端縁を揃えて重ね合わせるとともに前記広幅紙片の左右方向の中央の接着部にて両紙片を接着し、接着した前記広幅紙片と前記狭幅紙片を前記狭幅紙片が内側になるように接着部位置にて左右方向に２つ折りして形成された、同寸法からなる３枚の広告用の冊子紙片と該冊子紙片の上下寸法と同じ上下寸法であって該冊子紙片の左右寸法の１／２より小さい左右寸法である１枚の狭幅冊子紙片からなり前記狭幅冊子紙片の前記接着部近傍に前記接着部と平行にミシン目が設けられていることにより前記狭幅冊子紙片が切り取って利用可能な切取用紙片とされた構成からなり、前記３枚の広告用の冊子紙片には宣伝用の印刷が施されており、前記切取用紙片にはクーポン券として利用できるように必要な印刷が施されていることを特徴とする冊子状チラシ。
【請求項３】
長方形状の広幅紙片と、前記広幅紙片と上下寸法が同じで且つ左右寸法が前記広幅紙片の左右寸法の１／２より所定寸法だけ大きい狭幅紙片を、上下方向の両端縁、及び左右方向の端縁のうちの一方の端縁を揃えて重ね合わせるとともに前記広幅紙片の左右方向の中央の接着部にて両紙片を接着し、接着した前記広幅紙片と前記狭幅紙片を前記狭幅紙片が内側になるように接着部位置にて左右方向に２つ折りして形成された、同寸法からなる３枚の広告用の冊子紙片と該冊子紙片の上下寸法と同じ上下寸法であって該冊子紙片の左右寸法の１／２より小さい左右寸法である１枚の狭幅冊子紙片からなり前記狭幅冊子紙片の前記接着部近傍に前記接着部と平行にミシン目が設けられていることにより前記狭幅冊子紙片が切り取って利用可能な切取用紙片とされた構成からなり、前記３枚の広告用の冊子紙片には宣伝用の印刷が施されており、前記切取用紙片にはＦＡＸ用の申込書として利用できるように必要な印刷が施されていることを特徴とする冊子状チラシ。
【請求項４】
２台の輪転印刷機を使用して、一方の輪転印刷機で広幅用紙に、他方の輪転印刷機で広幅用紙の幅の１／２より所定寸法だけ大きい狭幅用紙に、それぞれ絵柄ピッチが同じ印刷を行うことにより、広幅用紙には第１の冊子紙片と該第１の冊子紙片と同寸法からなる第２の冊子紙片を割り付けていずれにも宣伝用の印刷を、狭幅用紙には前記第１の冊子紙片と同寸法からなる第３の冊子紙片と前記第１の冊子紙片の上下寸法と同じ上下寸法であって前記第１の冊子紙片の左右寸法の１／２より小さい左右寸法である第４の冊子紙片を割り付けて第３の冊子紙片には宣伝用の印刷を第４の冊子紙片にははがきまたはクーポン券またはＦＡＸ用の申込書として利用できるように必要な印刷を施す工程と、他方の輪転印刷機で印刷した狭幅用紙を反転させて一方の輪転印刷機で印刷された広幅用紙に広幅用紙の端縁と狭幅用紙の第３の冊子紙片側の端縁を揃えて重ね合わせる工程と、広幅用紙と狭幅用紙を広幅用紙の幅方向の中央部にて接着する工程と、接着した広幅用紙と狭幅用紙を広幅用紙の幅方向の中央部にて狭幅用紙を挟み込むように流れに平行方向に折り曲げる工程と、折り曲げられた広幅用紙と狭幅用紙を流れに直交方向の所定位置にて断裁する工程とからなることを特徴とする冊子状チラシの製造方法。
【発明の詳細な説明】
【０００１】
【発明の属する技術分野】
本発明は、折曲部にて綴じられた４枚の紙片からなり、内側の１枚の紙片が切り取ってはがき等として使用できる狭幅紙片からなる切取用紙片とされた冊子状チラシ及びその製造方法に関する。
【０００２】
【従来の技術】
従来、はがきが添付された冊子状の印刷物としては、例えば、実開昭６４−９７７０号公報に記載されているような、同一サイズの紙片を綴じた冊子であり、一つの紙片がハガキとして使用できるように切り取り可能にされている構成の販促用小冊子、実開昭５０−１３８１１６号公報に記載されているような、同一サイズの紙片を綴じた冊子であり、一つの紙片が複数枚のはがき用紙として切り取り可能に綴じられている宣伝用印刷物等が知られている。
しかしながら、上記の構成の販促用小冊子ないしは宣伝用印刷物はそれぞれ同一サイズの紙片が冊子状に綴じられた構成であって、その内の一部の紙片がはがきとして切り取り可能に綴じられているものであるため、販促ないしは宣伝用に使用する場合には１枚の紙片のサイズが小さくなり、宣伝文ないしは広告を印刷するたための紙片面積が小さく見る人に対して迫力に欠けるという欠点がある。また、簡単な工程で効率的に低価格で製造できる構成のものではないという欠点がある。
【０００３】
【発明が解決しようとする課題】
本発明は、同寸法の３枚の冊子紙片と１枚の狭幅冊子紙片からなり、狭幅冊子紙片を切り取ってはがき等として使用できる構成の、簡単な工程で効率的に低コストで製造することができる冊子状チラシ及びその製造方法を提供することにある。
【０００４】
【課題を解決するための手段】
長方形状の広幅紙片と、前記広幅紙片と上下寸法が同じで且つ左右寸法が前記広幅紙片の左右寸法の１／２より所定寸法だけ大きい狭幅紙片を、上下方向の両端縁、及び左右方向の端縁のうちの一方の端縁を揃えて重ね合わせるとともに前記広幅紙片の左右方向の中央の接着部にて両紙片を接着し、接着した前記広幅紙片と前記狭幅紙片を前記狭幅紙片が内側になるように接着部位置にて左右方向に２つ折りして形成された、同寸法からなる３枚の広告用の冊子紙片と該冊子紙片の上下寸法と同じ上下寸法であって該冊子紙片の左右寸法の１／２より小さい左右寸法である１枚の狭幅冊子紙片からなり前記狭幅冊子紙片の前記接着部近傍に前記接着部と平行にミシン目が設けられていることにより前記狭幅冊子紙片が切り取って利用可能な切取用紙片とされた構成の冊子状チラシとすることにより、３枚の大きい冊子紙片を商品の広告用に使用できるとともに、狭幅冊子紙片を切り取ってはがき、クーポン券、ＦＡＸ用の申込書等として使用できる、顧客に対する訴求効果が大きく且つ冊子状に綴じられているので印刷内容を見やすい新聞折り込み用のチラシとして効果的に利用できるものである。
【０００５】
前記冊子状チラシにおいて、狭幅冊子紙片の接着部近傍に接着部と平行にミシン目が設けられていることにより切取用紙片が形成されている構成とすることにより、狭幅冊子紙片を手で簡単に切り取ることができる。
【０００６】
前記冊子状チラシにおいて、広幅紙片が、坪量が４０〜６０ｇ／ｍ2 の紙からなり、且つ狭幅紙片が、坪量が７０〜１３０ｇ／ｍ2 の紙からなる構成とすることにより、狭幅紙片からなる狭幅冊子紙片を切り取ってはがきとして使用するのに適したものとなる。
【０００７】
２台の輪転印刷機を使用して、一方の輪転印刷機で広幅用紙に、他方の輪転印刷機で広幅用紙の幅の１／２より所定寸法だけ大きい狭幅用紙に、それぞれ絵柄ピッチが同じ印刷を行う工程と、他方の輪転印刷機で印刷した狭幅用紙を反転させて一方の輪転印刷機で印刷された広幅用紙に広幅用紙の端縁と狭幅用紙の端縁を揃えて重ね合わせる工程と、広幅用紙と狭幅用紙を広幅用紙の幅方向の中央部にて接着する工程と、接着した広幅用紙と狭幅用紙を広幅用紙の幅方向の中央部にて狭幅用紙を挟み込むように流れに平行方向に折り曲げる工程と、折り曲げられた広幅用紙と狭幅用紙を流れに直交方向の所定位置にて断裁する工程とからなる冊子状チラシの製造方法とすることにより、２台の輪転印刷機を使用して、３枚の冊子紙片と１枚の狭幅冊子紙片を有する冊子状チラシを簡単な工程で低コストで効率的に大量生産することきができる。また、冊子状チラシの見開いた状態の左右方向の寸法を輪転印刷機で印刷できる用紙の最大幅にまで大きくできるので、見開いた際に顧客に対する訴求効果が大きく且つ印刷内容が見やすい新聞折り込み用等に適した冊子状チラシとすることができる。
【０００８】
【発明の実施の形態】
以下、図面を引用して本発明の実施の形態を説明する。
図１は本発明の冊子状チラシの開いた状態の斜視図、図２は本発明の冊子状チラシの製造工程を示す図、図３は図２におけるＩ−Ｉ断面図、図４は本発明の冊子状チラシの製造工程を示す図、図５は図４におけるII−II断面図、図６は本発明の冊子状チラシの閉じた状態の平面図、１は広幅紙片、２は狭幅紙片、1a, 1b, 2aは冊子紙片、2bは狭幅冊子紙片、３は接着部、４は折目線、５は切取線、６は断裁線をそれぞれ表す。
【０００９】
本発明の冊子状チラシの実施形態の開いた状態は、図１に示すとおりであり、長方形状の広幅紙片１と、広幅紙片１と上下寸法が同じで且つ左右寸法が広幅紙片の１／２より所定寸法だけ大きい狭幅紙片２を、一方の端縁を揃えて広幅紙片１の左右方向の中央の接着部３にて接着し、広幅紙片１と狭幅紙片２を狭幅紙片２が内側になるように接着部３にて２つ折りすることにより形成された、大きい３枚の冊子紙片1a, 1b, 2aと１枚の狭幅冊子紙片2bを有する構成である。実施形態では狭幅冊子紙片2bに切取線５が印刷されており切取線５に沿って挟みで切り取って申込み用のはがきとして使用できるようにされている。切取線５をミシン目により形成して手で切り取れるようにしてもよい。実施形態のように、狭幅冊子紙片2bを切り取ってはがきとして使用する場合は、狭幅紙片２を坪量が１５０〜・・・ｇ／ｍ2 程度の厚い紙を使用するのが好ましい。また、２枚を重ねて外周縁を接着して封書として利用できる形態としておくことも可能である。さらにＦＡＸ用の申込書としての利用も可能である。狭幅冊子紙片2bの左右方向の寸法は、狭幅冊子紙片2bを切り離して使用する用途に適した寸法に設定すればよく任意である。
【００１０】
実施形態の冊子状チラシの製造工程は下記のとおりである。２台のオフセツト輪転印刷機を使用して、一方の輪転印刷機にて広幅用紙に所定の絵柄を印刷すると同時に、他方の輪転印刷機にて広幅用紙の幅の１／２より所定寸法だけ大きい狭幅用紙に所定の絵柄を印刷する。２台の輪転印刷機では同一ピッチの印刷版を使用して絵柄ピッチが同一となるように印刷される。広幅用紙と狭幅用紙に絵柄を印刷された後、他方の輪転印刷機にて印刷された狭幅用紙を反転させて、一方の輪転印刷機にて印刷された広幅用紙の面に、広幅用紙と狭幅用紙の端縁を揃えた状態で重ね合わせて、広幅用紙の幅方向の中央部にて広幅用紙と狭幅用紙を接着し、接着された広幅用紙と狭幅用紙を広幅用紙の幅方向の中央部にて狭幅用紙を挟み込むように用紙の流れに平行に折り曲げ、折り曲げられた広幅用紙と狭幅用紙を流れに直交方向の所定位置にて断裁することにより、折り畳まれた状態の実施形態の冊子状チラシが得られる。
【００１１】
上記の冊子状チラシの製造において、２台の輪転印刷機間にピッチ調整装置を設置しておき、２台の輪転印刷機にて同一ピッチの印刷版を使用して絵柄が印刷されるのであるが、印刷された広幅用紙と狭幅用紙の印刷絵柄ピッチにバラツキが発生した場合は、ピッチ調整装置により狭幅用紙のテンションを変えることにより、狭幅用紙の印刷絵柄ピッチを広幅用紙の印刷絵柄ピッチに合わせるように調整することにより、重ね合わされた広幅用紙と狭幅用紙の印刷絵柄が一致するように調整される。
【００１２】
一方の輪転印刷機で印刷された広幅用紙１と他方の輪転印刷機で印刷された狭幅用紙２を端縁で揃えて重ね合わせて接着した状態は図２、図３に示すとおりである。広幅紙片１と、左右寸法が広幅紙片１の１／２より所定寸法だけ大きい狭幅紙片２を、一方の端縁で揃えて広幅紙片１の左右方向の中央部の接着部３にて接着されており、接着部３の箇所が折目線４とされている。広幅用紙１には左右方向に冊子紙片1aと冊子紙片1bが割り付けられるとともに、狭幅紙片２には冊子紙片2aと狭幅冊子紙片2bが割り付けられており、広幅用紙１の冊子紙片1aの端縁と狭幅紙片２の冊子紙片2aの端縁を揃えて接着部３にて接着されている。冊子紙片1aと冊子紙片1bと冊子紙片2aには宣伝用の印刷が施されており、狭幅冊子紙片2bには切取線５が印刷され、切取線５の内部にははがきとして使用できるように必要な印刷が施されている。実施形態では印刷された切取線５に沿って挟みにて切り取るようにされているが、切取線をミシン目にして手で切り取れるようにしておいてもよい。
【００１３】
図２、図３に示す、広幅用紙１と狭幅紙片２を端縁で揃えて重ね合わせて接着した状態から、広幅用紙１と狭幅紙片２を広幅用紙１の左右方向の中央部の折目線４にて狭幅紙片２を挟み込むように折り曲げることにより、折り畳まれた実施形態の冊子状チラシが流れ方向に断裁線６を介して連続した図４、図５に示す状態とする。最後に、断裁線６にてカットすることにより、図６に示す折り畳まれた実施形態の冊子状チラシが得られる。図４中点線で表されている部分は狭幅紙片２の先端部を示しているものである。
【００１４】
上記のように、２台の輪転印刷機を使用して、一方の輪転印刷機に広幅用紙に所定の絵柄を印刷し、他方の輪転印刷機にて広幅用紙の幅の１／２より所定寸法だけ大きい狭幅用紙に所定の絵柄を印刷する方法にて冊子状チラシを製造することより、印刷とインラインの加工により簡単な工程で冊子状チラシを効率的に大量生産することが可能となるのでコストダウンを図ることができるとともに、広げた状態の冊子状チラシの左右寸法を一方の輪転印刷機にて印刷される広幅用紙の幅と同じ寸法まで大きくすることが可能となるので、左右方向に大きく見開くことのできる、見る人に対して訴求効果の大きい印刷面を有する冊子状チラシとすることができる。また、冊子状チラシの内部に綴じられている狭幅冊子紙片を切り取って申込み用のはがき、クーポン券等として利用できるので、はがき、クーポン券付き冊子状チラシとすることができる。
【００１５】
【発明の効果】
本発明の３枚の冊子紙片と１枚の狭幅冊子紙片を有する構成の冊子状チラシとすることにより、３枚の大きい冊子紙片を商品の広告用に使用できるとともに、狭幅冊子紙片を切り取ってはがき、クーポン券等として使用できる、顧客に対する訴求効果が大きく且つ冊子状に綴じられているので印刷内容を見やすい新聞折り込み用のチラシとして効果的に利用できるものである。
【００１６】
２台の輪転印刷機を使用して、一方の輪転印刷機で広幅用紙に、他方の輪転印刷機で広幅用紙の幅の１／２より所定寸法だけ大きい狭幅用紙に、それぞれ絵柄ピッチが同じ印刷を行い、端縁で揃えて重ね合わせて接着し、折り曲げて断裁する製造方法にて冊子状チラシを製造することにより、左右方向の寸法の大きい３枚の冊子紙片と１枚の狭幅冊子紙片を有する冊子状チラシを簡単な工程で低コストで効率的に大量生産することきができる。また、冊子紙片の左右方向の寸法を大きくできるので、見開いた際に印刷内容が見やすく且つ顧客に対する訴求効果の大きい新聞折り込み用等に適した冊子状チラシとすることができる。
【図面の簡単な説明】
【図１】本発明の冊子状チラシの開いた状態の斜視図。
【図２】本発明の冊子状チラシの製造工程を示す図。
【図３】図２におけるＩ−Ｉ断面図。
【図４】本発明の冊子状チラシの製造工程を示す図。
【図５】図４におけるＩ−Ｉ断面図。
【図６】本発明の冊子状チラシの閉じた状態の平面図。
【符号の説明】
１  広幅紙片
２  狭幅紙片
1a, 1b, 2a  冊子紙片
2b  狭幅冊子紙片
３  接着部
４  折目線
５  切取線
６  断裁線
【図１】
0003908533.tif 000002
【図２】
0003908533.tif 000003
【図３】
0003908533.tif 000004
【図４】
0003908533.tif 000005
【図５】
0003908533.tif 000006
【図６】
0003908533.tif 000007